(57)【要約】【課題】ボールエンドミルを用いてワークを切削加工して歯肉を切削加工する際に、切削加工時間の短縮化を図ることができるようにした歯肉の作製方法を提供する。【解決手段】ボールエンドミルによる切削加工により義歯を構成する歯肉を作製する歯肉の作製方法において、歯肉における人工歯との接着面を、略半球面凹形状に形成するようにした。【選択図】        図１
2018183200.tif 000002
【特許請求の範囲】
【請求項１】
ボールエンドミルによる切削加工により義歯を構成する歯肉を作製する歯肉の作製方法において、
歯肉における人工歯との接着面を、略半球面凹形状に形成する
ことを特徴とする歯肉の作製方法。
【請求項２】
請求項１に記載の歯肉の作製方法において、
ボールエンドミルの刃の先端部の曲率半径が、前記接着面を構成する略半球面凹形状における曲率が最も小さい部位の曲率半径よりも小さい
ことを特徴とする歯肉の作製方法。
【請求項３】
義歯を構成する歯肉において、
歯肉における人工歯との接着面が、略半球面凹形状を備えた
ことを特徴とする歯肉。
【請求項４】
義歯を構成する人工歯を作製する人工歯の作製方法において、
人工歯における歯肉との接着部を、略半球面凸形状に形成する
ことを特徴とする人工歯の作製方法。
【請求項５】
請求項４に記載の人工歯の作製方法において、
前記接着部の略半球面凸形状は、請求項１または２のいずれか１項に記載された人口歯肉の作製方法により作製された歯肉の接着面と、予め設定された裕度をもって嵌め合わせられる形状である
ことを特徴とする人工歯の作製方法。
【請求項６】
義歯を構成する人工歯において、
人工歯における人工歯との接着部が、略半球面凸形状を備えた
ことを特徴とする人工歯。
【発明の詳細な説明】
【技術分野】
【０００１】
本発明は、歯肉の作製方法、歯肉、人工歯の作製方法および人工歯に関する。さらに詳細には、本発明は、人体において損失した歯の代用品として使用される義歯を構成する歯肉の作製方法、歯肉、人工歯の作製方法および人工歯に関する。
【背景技術】
【０００２】
一般に、人体における損失した歯の代用品として、所謂、義歯が使用されている。義歯は、人体における歯肉の代用となる歯肉と、歯肉に接着されて歯の代用となる人工歯とより構成されている。歯肉は、例えば、樹脂材料などにより形成されている。また、人工歯は、例えば、セラミックや樹脂などにより形成されている。
【０００３】
近年、歯肉と人工歯とにより構成される義歯を作製するにあたって、歯肉の設計作業をＣＡＤ／ＣＡＭを使用して行い、ＣＡＤ／ＣＡＭにより作成された設計データを、例えば、特開２０１５−９７６６８号公報などに開示されたＣＮＣ化された切削加工装置に出力して、当該切削加工装置を用いてワークを切削加工して歯肉を作製することが行われるようになってきた。
【０００４】
従来、上記したようなＣＡＤ／ＣＡＭならびにＣＮＣ化された切削加工装置を用いて歯肉を作製する際には、既製の人工歯における歯肉との接着面が平坦面に形成されている点に鑑み、歯肉と人工歯との接着性を良好とするために、歯肉における人工歯との接着面も平坦面となるように形成していた。
【０００５】
ところで、例えば、特開２０１５−９７６６８号公報などに開示されたＣＮＣ化された切削加工装置においては、ワークを切削加工するためのツールとして、刃の先端部が略球状に形成されたボールエンドミルが用いられている。図１には、ボールエンドミル１００の刃の先端部１０２の形状の一例が示されている。
【０００６】
しかしながら、ツールとしてボールエンドミルを用いてワークを切削加工して歯肉を切削加工する際に、歯肉における人工歯との接着面を平坦面に加工するための加工時間がかなり長くかかってしまうため、全体としての切削加工時間の長時間化をもたらしているという問題点があった。
【先行技術文献】
【特許文献】
【０００７】
【特許文献１】特開２０１５−９７６６８号公報
【発明の概要】
【発明が解決しようとする課題】
【０００８】
本発明は、従来の技術の有する上記したような問題点に鑑みてなされたものであり、その目的とするところは、ボールエンドミルを用いてワークを切削加工して歯肉を切削加工する際に、切削加工時間の短縮化を図ることができるようにした歯肉の作製方法および歯肉ならびに当該歯肉に用いて好適な人工歯の作製方法および人工歯を提供しようとするものである。
【課題を解決するための手段】
【０００９】
上記目的を達成するために、本発明による歯肉の作製方法は、ボールエンドミルによる切削加工により義歯を構成する歯肉を作製する歯肉の作製方法において、歯肉における人工歯との接着面を、略半球面凹形状に形成するようにしたものである。
【００１０】
また、本発明による歯肉の作製方法は、上記した本発明による歯肉の作製方法において、ボールエンドミルの刃の先端部の曲率半径が、上記接着面を構成する略半球面凹形状における曲率が最も小さい部位の曲率半径よりも小さいようにしたものである。
【００１１】
また、本発明による歯肉は、義歯を構成する歯肉において、歯肉における人工歯との接着面が、略半球面凹形状を備えるようにしたものである。
【００１２】
また、本発明による人工歯の作製方法は、義歯を構成する人工歯を作製する人工歯の作製方法において、人工歯における歯肉との接着部を、略半球面凸形状に形成するようにしたものである。
【００１３】
また、本発明による人工歯の作製方法は、上記した本発明による人工歯の作製方法において、上記接着部の略半球面凸形状は、上記した本発明による歯肉の作製方法により作製された歯肉の接着面と、予め設定された裕度をもって嵌め合わせられる形状であるようにしたものである。
【００１４】
また、本発明による人工歯は、義歯を構成する人工歯において、人工歯における人工歯との接着部が、略半球面凸形状を備えるようにしたものである。
【発明の効果】
【００１５】
本発明は、以上説明したように構成されているので、ボールエンドミルを用いてワークを切削加工して歯肉を切削加工する際に、切削加工時間の短縮化を図ることができるようになるという優れた効果を奏する。
【図面の簡単な説明】
【００１６】
【図１】図１は、ボールエンドミルの先端部の形状の一例を示す説明図である。
【図２】図２（ａ）は、本発明の実施の形態の一例による歯肉を模式的に示す斜視構成説明図である。図２（ｂ）は、図２（ａ）におけるＩＩ−ＩＩ線による拡大端面図である。
【図３】図３は、本発明の実施の形態の一例による歯肉の作製方法を模式的に示す説明図である。
【図４】図４は、本発明の実施の形態の一例による歯肉に対して本発明の実施の形態の一例による人工歯を接着した状態を模式的に示す、図２（ｂ）に対応する断面構成説明図である。
【発明を実施するための形態】
【００１７】
以下、添付の図面を参照しながら、本発明による歯肉の作製方法、歯肉、人工歯の作製方法および人工歯の実施の形態の一例を詳細に説明するものとする。
【００１８】
（Ｉ）本発明による歯肉の構成および作製方法の説明
図２（ａ）には、本発明の実施の形態の一例による歯肉を模式的に示す斜視構成説明図があらわされている。また、図２（ｂ）には、図２（ａ）におけるＩＩ−ＩＩ線による拡大端面図があらわされている。
【００１９】
この歯肉１０は、各人工歯とのそれぞれの接着面１２を、略半球面凹形状に作製する点において、従来の歯肉と異なる。
【００２０】
歯肉１０は、従来の技術と同様に、その設計作業をＣＡＤ／ＣＡＭを使用して行い、ＣＡＤ／ＣＡＭにより作成された設計データを、例えば、特開２０１５−９７６６８号公報などに開示されたＣＮＣ化された切削加工装置に出力して、当該切削加工装置によりワークの切削加工を行って歯肉を作製する。その際に、設計データとして、人工歯との接着面１２を略半球面凹形状に形成するための設計データを作成し、切削加工装置のツールとして、例えば、図１に示すボールエンドミルを用いて、設計データに従ってワークを切削加工する。
【００２１】
ここで、ボールエンドミルとしては、刃の先端部の曲率半径が、接着面１２を構成する略半球面凹形状における曲率が最も小さい部位１２ａの曲率半径よりも、小さいものを用いる。
【００２２】
例えば、特開２０１５−９７６６８号公報などに開示されたＣＮＣ化された切削加工装置により、ツールとして図１に示すボールエンドミル１００を用いて歯肉１０における人工歯との接着面１２を作製する。ボールエンドミル１００の略球形状の刃の先端部１０２により、接着面１２を略半球面凹形状に切削加工すればよい。
【００２３】
従って、図３に示すように、平坦面２００を形成する場合と比較すると、図３において灰色で示す領域分だけ切削領域を少なくすることができ、切削加工時間を大幅に短縮化することができる。
【００２４】
（ＩＩ）本発明による人工歯の構成および作製方法の説明
図４には、本発明の実施の形態の一例による歯肉に対して本発明の実施の形態の一例による人工歯を接着した状態を模式的に示す、図２（ｂ）に対応する断面構成説明図があらわされている。
【００２５】
この人工歯２０は、歯肉１０の接着面１２と接着剤により接着される接着部２２を、略半球面凸形状に作製する点において、従来の人工歯と異なる。
【００２６】
ここで、人工歯２０における接着部２２の略半球面凸形状は、歯肉１０における略半球面凹形状に形成された接着面１２に対して、予め設定された裕度をもって嵌め合わされる寸法であることが好ましい。
【００２７】
従って、義歯を作製する際においては、略半球面凹形状の接着面１２と略半球面凸形状の接着部２２とが予め設定された裕度をもって嵌め合わされるように、歯肉１０の接着面１２の略半球面凹形状の寸法と人工歯の接着部２２の略半球面凸形状の寸法とを適宜に設定する。
【００２８】
略半球面凹形状の接着面１２と略半球面凸形状の接着部２２とが予め設定された裕度をもって嵌め合わされることにより、接着剤の塗布により接着面１２と接着部２２とを強固に接着することができる。
【００２９】
（ＩＩＩ）歯肉１０および人工歯２０による作用効果
以上において説明した歯肉１０における人工歯との接着面１２は、平坦面ではなく、ボールエンドミル１００により短時間で加工可能な略半球面凹形状であるため、接着面１２のための加工時間は極めて短くなり、歯肉１０を作製する際の全体としての切削加工時間の長時間化を防止することができるようになる。
【００３０】
（ＩＶ）他の実施の形態および変形例の説明
なお、上記した実施の形態は例示に過ぎないものであり、本発明は他の種々の形態で実施することができる。即ち、本発明は、上記した実施の形態に限定されるものではなく、本発明の要旨を逸脱しない範囲で種々の省略、置き換え、変更を行うことができる。
【００３１】
例えば、上記した実施の形態は、以下の（１）乃至（３）に示すように変形するようにしてもよい。
【００３２】
（１）上記した実施の形態においては、ツールとして図１に例示したボールエンドミル１００を用いた場合について説明したが、これに限られるものではないことは勿論である。ツールとして使用するボールエンドミルは、従来より公知の種々の形状や大きさのボールエンドミルを用いることができる。
【００３３】
（２）上記した実施の形態においては、切削加工装置としては、例えば、特開２０１５−９７６６８号公報などに開示された切削加工装置を示したが、これに限られるものではないことは勿論である。切削加工装置としては、ツールとしてボールエンドミルを用いるものであれば、従来より公知の種々の切削加工装置を用いることができる。
【００３４】
（３）上記した実施の形態ならびに上記した（１）乃至（２）に示す各種の変形例は、適宜に組み合わせるようにしてもよい。
【産業上の利用可能性】
【００３５】
本発明は、義歯における歯肉や人工歯の作製のために利用することができる。
【符号の説明】
【００３６】
１０  歯肉、１２  接着面、１２ａ  略半球面凹形状における曲率が最も小さい部位、２０  人工歯、２２  接着部、１００  ボールエンドミル、１０２  刃の先端部
【図１】
2018183200.tif 000003
【図２】
2018183200.tif 000004
【図３】
2018183200.tif 000005
【図４】
2018183200.tif 000006